(57)【要約】【課題】比較的簡単な作業で、ゲーム空間のレイアウト変更が可能なゲーム装置を提供すること。【解決手段】ゲーム装置１００は、景品を落下させるための開口９０１を備える装置本体９００と、景品を載置するための載置板１０と、載置板１０上に載置された景品を移動させる景品移動機構５００と、装置本体９００に取り付けられ、載置板１０を変位可能に支持し、かつ、開口９０１に対して位置決め可能な位置決め機構１とを有する。位置決め機構１は、異なる状態を取り得るように構成されており、その状態を変化させて、載置板１０を開口９０１に対して位置決めすることにより、平面視において載置板１０から露出する開口９０１の大きさを変更可能に構成した。【選択図】図１
2016140371.tif 000002
【特許請求の範囲】
【請求項１】
景品を落下させるための開口を備える装置本体と、
前記景品を載置するための載置板と、
該載置板上に載置された前記景品を移動させる景品移動機構と、
前記装置本体に取り付けられ、前記載置板を変位可能に支持し、かつ、前記開口に対して位置決め可能な位置決め機構と、を有し、
該位置決め機構は、異なる状態を取り得るように構成されており、前記位置決め機構の前記状態を変化させて、前記載置板を前記開口に対して位置決めすることにより、平面視において前記載置板から露出する前記開口の大きさを変更可能に構成したことを特徴とするゲーム装置。
【請求項２】
前記位置決め機構は、前記載置板を前記装置本体から離間した状態で、前記開口に対して位置決め可能に構成されている請求項１に記載のゲーム装置。
【請求項３】
前記位置決め機構は、前記載置板を水平方向に沿ってスライド可能に支持する請求項１または２に記載のゲーム装置。
【請求項４】
前記位置決め機構は、前記載置板を水平方向において回動可能に支持する請求項１ないし３のいずれかに記載のゲーム装置。
【請求項５】
前記位置決め機構は、前記載置板を前記開口に対して接近および離間可能に支持する請求項１ないし４のいずれかに記載のゲーム装置。
【請求項６】
前記位置決め機構は、前記載置板を前記開口に対して傾斜可能に支持する請求項１ないし５のいずれかに記載のゲーム装置。
【請求項７】
前記位置決め機構は、前記載置板を鉛直軸または該鉛直軸に対して傾斜した傾斜軸を中心として回動可能に支持する請求項１ないし６のいずれかに記載のゲーム装置。
【請求項８】
前記位置決め機構は、前記載置板を支持する支持構造と、該支持構造を前記装置本体に取り付ける取付構造とを備える請求項１ないし７のいずれかに記載のゲーム装置。
【請求項９】
前記載置板の側部には、少なくとも１つの側壁板が前記載置板に対して所定の角度で設けられている請求項１ないし８のいずれかに記載のゲーム装置。
【請求項１０】
前記側壁板は、前記載置板に対して回動可能である請求項９に記載のゲーム装置。
【請求項１１】
前記所定の角度は、３０〜９０°の範囲である請求項９または１０に記載のゲーム装置。
【請求項１２】
前記載置板は、平面視で四角形状をなし、その４辺に前記側壁板が設けられている請求項９ないし１１のいずれかに記載のゲーム装置。
【発明の詳細な説明】
【技術分野】
【０００１】
本発明は、ゲーム装置、特に、景品を獲得するゲームを行うゲーム装置に関する。
【背景技術】
【０００２】
操作ボタン等の操作によりキャッチャー（景品把持部）を移動させて、ぬいぐるみ等の景品を獲得するゲーム装置（クレーンゲーム装置）が知られている。かかるゲーム装置では、キャッチャーで把持した景品を、景品を払い出すための開口の上方まで搬送した後、落下させる。これにより、景品を獲得することができる。
【０００３】
例えば、特許文献１には、飽きのこないゲーム装置を提供する観点から、景品を載置する景品載置部材の配置枚数や配置位置を変更することにより、開口の位置等のレイアウトを変更する構成が開示されている。しかしながら、かかるゲーム装置では、景品載置部材を複数用意せざるを得ず、ゲーム装置を管理する管理者によるレイアウト変更が煩雑になったり、取り外した景品載置部材を収納するスペースを確保する必要がある。
【先行技術文献】
【特許文献】
【０００４】
【特許文献１】特許第４３５３５３９号
【発明の概要】
【発明が解決しようとする課題】
【０００５】
本発明は、比較的簡単な作業で、ゲーム空間のレイアウト変更が可能なゲーム装置を提供することにある。
【課題を解決するための手段】
【０００６】
このような目的は、以下の（１）〜（１２）の本発明により達成される。
【０００７】
（１）  景品を落下させるための開口を備える装置本体と、
前記景品を載置するための載置板と、
該載置板上に載置された前記景品を移動させる景品移動機構と、
前記装置本体に取り付けられ、前記載置板を変位可能に支持し、かつ、前記開口に対して位置決め可能な位置決め機構と、を有し、
該位置決め機構は、異なる状態を取り得るように構成されており、前記位置決め機構の前記状態を変化させて、前記載置板を前記開口に対して位置決めすることにより、平面視において前記載置板から露出する前記開口の大きさを変更可能に構成したことを特徴とするゲーム装置。
【０００８】
（２）  前記位置決め機構は、前記載置板を前記装置本体から離間した状態で、前記開口に対して位置決め可能に構成されている上記（１）に記載のゲーム装置。
（３）  前記位置決め機構は、前記載置板を水平方向に沿ってスライド可能に支持する上記（１）または（２）に記載のゲーム装置。
【０００９】
（４）  前記位置決め機構は、前記載置板を水平方向において回動可能に支持する上記（１）ないし（３）のいずれかに記載のゲーム装置。
（５）  前記位置決め機構は、前記載置板を前記開口に対して接近および離間可能に支持する上記（１）ないし（４）のいずれかに記載のゲーム装置。
【００１０】
（６）  前記位置決め機構は、前記載置板を前記開口に対して傾斜可能に支持する上記（１）ないし（５）のいずれかに記載のゲーム装置。
（７）  前記位置決め機構は、前記載置板を鉛直軸または該鉛直軸に対して傾斜した傾斜軸を中心として回動可能に支持する上記（１）ないし（６）のいずれかに記載のゲーム装置。
【００１１】
（８）  前記位置決め機構は、前記載置板を支持する支持構造と、該支持構造を前記装置本体に取り付ける取付構造とを備える上記（１）ないし（７）のいずれかに記載のゲーム装置。
（９）  前記載置板の側部には、少なくとも１つの側壁板が前記載置板に対して所定の角度で設けられている上記（１）ないし（８）のいずれかに記載のゲーム装置。
【００１２】
（１０）  前記側壁板は、前記載置板に対して回動可能である上記（９）に記載のゲーム装置。
（１１）  前記所定の角度は、３０〜９０°の範囲である上記（９）または（１０）に記載のゲーム装置。
（１２）  前記載置板は、平面視で四角形状をなし、その４辺に前記側壁板が設けられている上記（９）ないし（１１）のいずれかに記載のゲーム装置。
【発明の効果】
【００１３】
本発明によれば、景品を載置するための載置板を変位可能に支持し、かつ、この載置板を景品を落下させるための開口に対して位置決め可能な位置決め機構を設けたので、ゲーム空間のレイアウトを、比較的簡単な作業で変更することができる。
【図面の簡単な説明】
【００１４】
【図１】本発明のゲーム装置の第１実施形態を示す斜視図である。
【図２】載置板および位置決め機構を示す斜視図である。
【図３】載置板および位置決め機構を示す平面図である。
【図４】載置板および位置決め機構を示す正面図である。
【図５】載置板および位置決め機構を示す側面図である。
【図６】支持構造の第１の連結部の構成を示す分解斜視図である。
【図７】支持構造の第１の連結部および第２の連結部の構成を示す分解斜視図である。
【図８】支持構造の第２の連結部および取付構造の構成を示す分解斜視図である。
【図９】載置板の配置パターンを示す平面図である。
【図１０】支持構造の第１の連結部の他の構成を示す分解斜視図である。
【図１１】支持構造の第１の連結部の他の構成を示す分解斜視図である。
【図１２】取付構造の支持機構側の他の構成を示す斜視図（ａ）および分解斜視図（ｂ）である。
【図１３】取付構造の装置本体側の他の構成を示す分解斜視図である。
【図１４】本発明のゲーム装置の第２実施形態を示す斜視図である。
【図１５】図１４中のＡ−Ａ線断面図である。
【図１６】載置板に側壁板を取り付けた状態を示す斜視図である。
【図１７】図１６に示す載置板の平面図である。
【図１８】図１７中のＢ−Ｂ線断面図である。
【図１９】側壁板および回動機構の他の構成例を示す斜視図である。
【図２０】図１９に示す回動機構の構成を示す分解斜視図である。
【図２１】側壁板と回動機構との関係を示す図である。
【発明を実施するための形態】
【００１５】
以下、本発明のゲーム装置について、添付図面に示す好適実施形態に基づいて詳細に説明する。
【００１６】
＜第１実施形態＞
まず、本発明のゲーム装置の第１実施形態について説明する。図１は、本発明のゲーム装置の第１実施形態を示す斜視図である。なお、図１中において、左右方向を「Ｘ軸方向」と、前後方向を「Ｙ軸方向」と、上下方向を「Ｚ軸方向」と言う。図１に示すゲーム装置１００は、景品を落下させるための開口９０１を備える装置本体９００と、景品を載置するための載置板１０と、この載置板１０上に載置された景品を移動させる景品把持部（景品移動部）５を備える景品移動機構５００と、載置板１０を変位可能に支持し、かつ、開口９０１に対して位置決め可能な位置決め機構１とを有する。
【００１７】
装置本体９００は、上側装置本体９１０と下側装置本体９２０とで構成されている。上側装置本体９１０の正面には、透明板９１０ａ（例えば、アクリル板のような透明樹脂板）が設けられており、内部のゲーム空間９１０ｂの視認性が確保されている。この透明板９１０ａは、取外し可能または開閉可能となっており、ゲーム空間９１０ｂを開放し得るように構成されている。ゲーム空間９１０ｂを開放することにより、載置板１０上に載置される景品の交換や補充、位置決め機構１の状態の変更（すなわち、載置板１０の位置等の変更）を行うことができる。なお、上側装置本体９１０の側面および後面にも、透明板９１０ａを設けるようにしてもよい。
【００１８】
本実施形態のゲーム装置１００は、２人のプレーヤが個別にゲームを行い得るように構成されており、下側装置本体９２０の上部に、ゲーム空間９１０ｂに突出する仕切板９２１を設けることにより、ゲーム空間９１０ｂを２つの領域に区画している。この下側装置本体９２０には、ゲーム空間９１０ｂに開放する開口９０１が設けられている。また、下側装置本体９２０の正面には、開口９０１と連通する景品取出口９２２が形成され、開口９０１に落下させた景品を景品取出口９２２から取り出すことができるようになっている。
【００１９】
また、下側装置本体９２０の正面には、景品取出口９２２の上方に、景品把持部５の移動操作を行う操作部９２３が設けられている。本実施形態では、操作部９２３は、景品把持部５をＸ軸方向に沿って移動させる操作ボタン９２３ａと、景品把持部５をＹ軸方向に沿って移動させる操作ボタン９２３ｂと、景品把持部５のＺ軸方向への移動量を決定する操作ボタン９２３ｃとで構成されている。なお、操作ボタン９２３ａ、９２３ｂに代えて、ジョイスティック等を設けるようにしてもよい。
【００２０】
その他、下側装置本体９２０には、コイン投入口９２４、コイン払戻口９２５、ゲーム装置１００の管理者がコインを回収する際に開閉する扉９２６、ゲームの残り回数等を表示する表示部（図示せず）、ゲームの効果音、警告音やメッセージを出力するスピーカ（図示せず）等が設けられている。また、下側装置本体９２０の開口９０１を囲む部分の所定の位置には、載置板１０の開口９０１に対する位置決め機構１が取り付けられている。なお、位置決め機構１の構成については、後に詳述する。
【００２１】
さらに、下側装置本体９２０の内部には、ゲーム装置１００の作動を制御する制御部（図示せず）が設けられている。この制御部は、コイン投入口９２４からのコイン投入信号、操作部９２３からの操作信号等を受信するとともに、景品把持部５を含む景品移動機構５００等の動作を制御する。
【００２２】
このような装置本体９００（上側装置本体９１０）の天井部には、景品移動機構５００が設けられている。この景品移動機構５００は、景品把持部（キャッチャー）５と、景品把持部５を３次元方向に移動させる移動装置５０とを備えている。
【００２３】
景品把持部５は、本体５１と、この本体５１に取り付けられた２つのアーム（腕部材）５２とを備えている。各アーム５２は、長手方向の途中で屈曲または湾曲した長尺部材で構成され、互いに対向するように配置されている。また、２つのアーム５２は、それらの先端部（下端部）が互いに接近および離間するように、本体５１に対して回動可能に設けられている。２つのアーム５２の先端部同士を接近させた状態で、景品把持部５は、景品を把持する。一方、２つのアーム５２の先端部同士を離間させた状態で、景品把持部５は、景品の把持を解除する。
【００２４】
なお、アーム５２の数は、２つの他、３つ、４つまたは６つのような複数であってもよく、１つ（単数）であってもよい。アーム５２の数が１つの場合、景品にアーム５２を引っ掛ける部分を設けたり、景品移動機構５００により景品を載置板１０上をスライドさせる構成とされる。
【００２５】
この景品把持部５は、移動装置５０により３次元方向に移動可能となっている。移動装置５０は、Ｘ軸ガイド５０Ｘと、Ｘ軸ガイド５０Ｘの両端にそれぞれ設けられたＸ軸モータ５０ＸａおよびＸ軸センサ５０Ｘｂと、Ｙ軸ガイド５０Ｙと、Ｙ軸ガイド５０Ｙの両端にそれぞれ設けられたＹ軸モータ５０ＹａおよびＹ軸センサ５０Ｙｂと、伸縮自在なＺ軸ロッド（テレスコピック）５０Ｚと、Ｚ軸ロッド５０Ｚの上端に設けられたＺ軸モータ５０ＺａおよびＺ軸センサ５０Ｚｂとを備えている。
【００２６】
Ｘ軸ガイド５０Ｘは、上側装置本体９１０の天井部にＸ軸方向に沿って取り付けられている。Ｙ軸ガイド５０Ｙは、Ｘ軸ガイド５０Ｘに直交するように（Ｙ軸方向に沿って）設けられ、Ｘ軸ガイド５０Ｘに取り付けられている。このＹ軸ガイド５０Ｙは、Ｘ軸モータ５０Ｘａの駆動により、Ｘ軸ガイド５０Ｘ（Ｘ軸方向）に沿って移動する。Ｚ軸ロッド５０Ｚは、Ｘ軸ガイド５０ＸとＹ軸ガイド５０Ｙとの双方に直交するように（Ｚ軸方向に沿って）設けられ、Ｙ軸ガイド５０Ｙに取り付けられている。このＺ軸ロッド５０Ｚは、Ｙ軸モータ５０Ｙａの駆動により、Ｙ軸ガイド５０Ｙ（Ｙ軸方向）に沿って移動する。
【００２７】
また、Ｚ軸ロッド５０Ｚの下端部には、景品把持部５が取り付けられ、この景品把持部５には、Ｚ軸ロッド５０Ｚ内に挿通されたワイヤ（図示せず）の下端が固定されている。Ｚ軸モータ５０Ｚａの駆動により、ワイヤを上端側から巻き取ると、Ｚ軸ロッド５０Ｚが収縮しつつ、景品把持部５が鉛直上方に移動（上昇）する。一方、Ｚ軸モータ５０Ｚａの駆動により、ワイヤを送り出すと、Ｚ軸ロッド５０Ｚが伸長しつつ、景品把持部５が鉛直下方に移動（下降）する。
【００２８】
景品把持部５のゲーム空間９１０ｂでの位置は、Ｘ軸センサ５０ＸｂによるＹ軸ガイド５０ＹのＸ軸方向の移動量、Ｙ軸センサ５０ＹｂによるＺ軸ロッド５０ＺのＹ軸方向の移動量、および、Ｚ軸センサ５０Ｚｂによるワイヤの巻き取り量または送り出し量を検出することにより決定される。
【００２９】
以上説明したような移動装置５０により、景品把持部５を３次元方向に移動させ、載置板１０上に載置された景品を把持した後、平面視で載置板１０から露出する開口９０１の上方に搬送する。その後、景品把持部５による景品の把持を解除することにより、景品を開口９０１に落下させて、景品取出口９２２から取り出す。本発明では、上述した位置決め機構１により、載置板１０の開口９０１に対する位置決めが可能である。以下、位置決め機構１について詳述する。
【００３０】
図２は、載置板および位置決め機構を示す斜視図、図３は、載置板および位置決め機構を示す平面図、図４は、載置板および位置決め機構を示す正面図、図５は、載置板および位置決め機構を示す側面図、図６は、支持構造の第１の連結部の構成を示す分解斜視図、図７は、支持構造の第１の連結部および第２の連結部の構成を示す分解斜視図、図８は、支持構造の第２の連結部および取付構造の構成を示す分解斜視図、図９は、載置板の配置パターンを示す平面図である。
【００３１】
また、図１０は、支持構造の第１の連結部の他の構成を示す分解斜視図、図１１は、支持構造の第１の連結部の他の構成を示す分解斜視図、図１２は、取付構造の支持機構側の他の構成を示す斜視図（ａ）および分解斜視図（ｂ）、図１３は、取付構造の装置本体側の他の構成を示す分解斜視図である。
【００３２】
位置決め機構１は、載置板１０を変位可能に支持する。図６に示すように、載置板１０は、平面視で長方形状の天板部１０１と、天板部１０１の外縁に沿って、天板部１０１の下面から立設した縁部１０２と、縁部１０２と連結し、天板部１０１の下面から立設した複数の梁部１０３とを備えている。各梁部１０３は、互いに直交するように配置されている。このような構成により、載置板１０の軽量化を図りつつ、載置板１０の十分な機械的強度を確保することができる。なお、天板部１０１（載置板１０）の平面視での形状は、長方形状に限定されず、例えば、正方形状、菱形状、三角形状、六角形状のような多角形状、星形形状のような異形状、円形状、楕円形状等であってもよい。
【００３３】
また、天板部１０１の中央部には、天板部１０１の下面から突出する突出部１０４が設けられている。そして、載置板１０には、天板部１０１および突出部１０４を連続して貫通する貫通孔１０５が形成されている。本実施形態では、天板部１０１、縁部１０２、梁部１０３および突出部１０４は、一体的に形成されているが、これらは別体として形成され、互いに接着、融着等により接合されていてもよい。
【００３４】
このような載置板１０は、例えば、ポリカーボネートのような硬質樹脂材料、金属材料、セラミックス材料、木材またはこれらの複合材料等により形成することができる。また、突出部１０４を金属材料等で構成し、その他の部分を硬質樹脂材料で構成する場合、載置板１０は、例えばインサート成形法を用いることにより簡便に形成することができる。
【００３５】
載置板１０（天板部１０１）の大きさは、平面視で開口９０１の大きさとほぼ等しく設定されている。載置板１０の平面視での具体的な大きさは、ゲーム装置１００の大きさに依存して設定されるため、特に限定されないが、例えば、縦３００ｍｍ×横５００ｍｍ程度とされる。
【００３６】
位置決め機構１は、図２に示すように、載置板１０を支持する支持構造２と、この支持構造２を装置本体９００（下側装置本体９２０）に取り付ける取付構造３とを備えている。支持構造２は、直方体形状をなす長尺の支持腕２１と、この支持腕２１と載置板１０とを連結する第１の連結部２２と、支持腕２１と取付構造３とを連結する第２の連結部２３とで構成されている。本実施形態では、支持腕２１は、その機械的強度を確保しつつ、軽量化を図る観点から、例えば金属板等の板材を折り曲げることにより形成されている。
【００３７】
第１の連結部２２は、図６に示すように、平板状の本体２２１と、本体２２１の右面に設けられた受筒２２２と、受筒２２２の下端に設けられたナット２２３と、ナット２２３に螺合するネジ２２４とを備えている。載置板１０の突出部１０４を受筒２２２に挿入し、この状態でネジ２２４を貫通孔１０５に挿通して、その先端部をナット２２３に螺合させ、締め付ける。これにより、載置板１０を本体２２１に固定することができる。また、ネジ２２４のナット２２３に対する螺合の程度を弱めることにより、図３に示すように、載置板１０を受筒２２２の中心軸を中心として回動させることができる。
【００３８】
本実施形態では、本体２２１、受筒２２２およびナット２２３は、例えば金属材料で構成されており、溶接等により接合されている。なお、これらは、一体的に形成されていてもよい。
【００３９】
かかる構成に代えて、図１０および図１１に示す構成とすることもできる。図１０に示す構成では、載置板１０の突出部１０４の内周面に、ネジ２２４と螺合するネジ溝またはネジ山（図示せず）が形成されている。この場合、載置板１０の突出部１０４を受筒２２２に挿入した状態で、ナット２２３および突出部１０４に、この順でネジ２２４を螺合させ、締め付けることにより、載置板１０を本体２２１に固定することができる。図１１に示す構成では、受筒２２２の胴部を貫通するネジ孔１０５’と、このネジ孔１０５’に螺合するネジ２２４’とが設けられている。この場合、載置板１０の突出部１０４を受筒２２２に挿入した状態で、ネジ２２４’をネジ孔１０５’に螺合させ、締め付ける。これにより、ネジ２２４’の先端で突出部１０４を受筒２２２に押し付けることで、載置板１０を本体２２１に固定することができる。
【００４０】
図１０および図１１に示す構成によれば、載置板１０の上面から突出する部品を省略することができ、載置板１０の上面を平坦面とすることができる。したがって、かかる構成は、載置板１０上の景品を景品移動機構５００によりスライドさせて開口９０１まで移動させるゲームを行うゲーム装置１００とする場合に好ましい。
【００４１】
また、第１の連結部２２は、図７に示すように、本体２２１の左面（受筒２２２と反対側の面）にネジ止めされた有底の円筒状部材２２５と、支持腕２１の右面にネジ止めされた有底の円筒状部材２２６と、円筒状部材２２６の底部に固定されたコイルバネ（付勢部材）２２７と、円筒状部材２２５と円筒状部材２２６とを固定するネジ２２８とを備えている。円筒状部材２２５は、その外径が円筒状部材２２６の内径とほぼ等しいか、または若干小さく設定されており、円筒状部材２２６に挿入可能となっている。本実施形態では、円筒状部材２２５および円筒状部材２２６は、例えば硬質樹脂材料で構成されている。
【００４２】
さらに、本体２２１および円筒状部材２２５の底部には、これらを連続して貫通する貫通孔２２１ａが形成され、円筒状部材２２６の底部には、ネジ２２８に螺合するネジ穴２２６ａが形成されている。円筒状部材２２５を円筒状部材２２６に挿入し、この状態でネジ２２８を貫通孔２２１ａに挿通して、その先端部をネジ穴２２６ａに螺合させ、締め付ける。これにより、本体２２１を支持腕２１に固定することができる。また、ネジ２２８のネジ穴２２６ａに対する螺合の程度を弱めることにより、図５に示すように、受筒２２２（載置板１０）を円筒状部材２２６の中心軸を中心として回動させることができる。
【００４３】
なお、円筒状部材２２５の開口縁部には、その周方向に沿って、複数の突起２２５ａが間欠的に形成されている。一方、円筒状部材２２６の底部には、その胴部（周方向）に沿って、突起２２５ａのピッチと同ピッチで、複数の凹部（溝）２２６ｂが間欠的に形成されている。本体２２１を支持腕２１に固定した状態では、突起２２５ａが凹部２２６ｂに挿入（嵌合）する。これにより、円筒状部材２２５と円筒状部材２２６とをより強固に固定することができる。特に、突起２２５ａおよび凹部２２６ｂが間欠的に存在することにより、円筒状部材２２５と円筒状部材２２６との周方向における位置関係を多段階で調整することが可能である。
【００４４】
ネジ２２８を締め付けることにより、円筒状部材２２５と円筒状部材２２６とを固定したとき、円筒状部材２２５と円筒状部材２２６との間に位置するコイルバネ２２７は、圧縮状態となっている。このため、ネジ２２８のネジ穴２２６ａに対する螺合の程度を弱めていくと、コイルバネ２２７は、自然状態に復元しようとして、円筒状部材２２５と円筒状部材２２６とを互いに離間する方向に押圧する。これにより、ネジ２２８を緩める操作を行うだけで、突起２２５ａを凹部２２６ｂから離脱させること、すなわち、これらの嵌合状態を解除することができるので、円筒状部材２２５と円筒状部材２２６との周方向における位置関係を容易に調整することができる。
【００４５】
このような第１の連結部２２を介して、載置板１０が支持腕２１に連結され、支持腕２１が取付構造３に第２の連結部２３を介して連結されている。この第２の連結部２３は、図７および図８に示すように、取付構造３のガイド溝３１０に挿入される四角筒状（直方体状）の本体２３１を備えている。本実施形態では、本体２３１は、その機械的強度を確保しつつ、軽量化を図る観点から、例えば金属板等の板材を折り曲げることにより形成されている。
【００４６】
また、第２の連結部２３は、図７に示すように、本体２３１の上板から立設した互いに対向する右板片２３２および左板片２３３と、右板片２３２の左面にネジ止めされた有底の円筒状部材２３４と、支持腕２１の右面にネジ止めされた有底の円筒状部材２３５と、円筒状部材２３５の底部に固定されたコイルバネ（付勢部材）２３６と、円筒状部材２３４と円筒状部材２３５とを固定するネジ２３７と、左板片２３３にネジ止めされた軸受２３８と、支持腕２１の左面から左方に突出するピン２３９とを備えている。
【００４７】
左板片２３３には、その上縁から下方に向かってスリット２３３ａが形成されている。軸受２３８は、平板２３８ａと、平板２３８ａから右方に突出し、軸受穴２３８ｂが形成された突出部２３８ｃとで構成されている。この軸受２３８は、突出部２３８ｃをスリット２３３ａに挿入し、平板２３８ａを左板片２３３の左面にネジ止めすることにより、左板片２３３に固定されている。
【００４８】
円筒状部材２３４は、その外径が円筒状部材２３５の内径とほぼ等しいか、または若干小さく設定されており、円筒状部材２３５に挿入可能となっている。本実施形態では、円筒状部材２３４、円筒状部材２３５および軸受２３８は、例えば硬質樹脂材料で構成されている。さらに、右板片２３２および円筒状部材２３４の底部には、これらを連続して貫通する貫通孔２３２ａが形成され、円筒状部材２３５の底部には、ネジ２３７に螺合するネジ穴２３５ａが形成されている。
【００４９】
ピン２３９を軸受２３８の軸受穴２３８ｂに挿入するとともに、円筒状部材２３４を円筒状部材２３５に挿入し、この状態でネジ２３７を貫通孔２３２ａに挿通して、その先端部をネジ穴２３５ａに螺合させ、締め付ける。これにより、支持腕２１を本体２３１に固定することができる。また、ネジ２３７のネジ穴２３５ａに対する螺合の程度を弱めることにより、図５に示すように、支持腕２１（載置板１０）を円筒状部材２３４の中心軸を中心として回動させることができる。
【００５０】
なお、円筒状部材２３４の開口縁部には、その周方向に沿って、複数の突起２３４ａが間欠的に形成されている。一方、円筒状部材２３５の底部には、その胴部（周方向）に沿って、突起２３４ａのピッチと同ピッチで、複数の凹部（溝）２３５ｂが間欠的に形成されている。支持腕２１を本体２３１に固定した状態では、突起２３４ａが凹部２３５ｂに挿入（嵌合）する。これにより、円筒状部材２３４と円筒状部材２３５とをより強固に固定することができる。特に、突起２３４ａおよび凹部２３５ｂが間欠的に存在することにより、円筒状部材２３４と円筒状部材２３５との周方向における位置関係を多段階で調整することが可能である。
【００５１】
ネジ２３７を締め付けることにより、円筒状部材２３４と円筒状部材２３５とを固定したとき、円筒状部材２３４と円筒状部材２３５との間に位置するコイルバネ２３６は、圧縮状態となっている。このため、ネジ２３７のネジ穴２３５ａに対する螺合の程度を弱めていくと、コイルバネ２３６は、自然状態に復元しようとして、円筒状部材２３４と円筒状部材２３５とを互いに離間する方向に押圧する。これにより、ネジ２３７を緩める操作を行うだけで、突起２３４ａを凹部２３５ｂから離脱させること、すなわち、これらの嵌合状態を解除することができるので、円筒状部材２３４と円筒状部材２３５との周方向における位置関係を容易に調整することができる。
【００５２】
また、第２の連結部２３は、図８に示すように、本体２３１を取付構造３に対して固定する３つのネジ２３０ａ、２３０ａ、２３０ｂを備えている。本体２３１の両側板には、それぞれ、これを貫通するネジ孔２３１ａが形成されている。ネジ孔２３１ａには、それぞれ、ネジ２３０ａが螺合する。本体２３１の上部には、前方に向かって突出する前板片２３１ｂが設けられており、前板片２３１ｂの左右方向（長手方向）の両端部に、それぞれ、これを貫通する貫通孔２３１ｃが形成されている。さらに、前板片２３１ｂの下面には、各貫通孔２３１ｃに対応して、ナット２３１ｄが設けられている。ネジ２３０ｂは、いずれか一方の貫通孔２３１ｃに挿通され、これに対応するナット２３１ｄに螺合する。
【００５３】
本実施形態では、本体２３１、前板片２３１ｂ、ナット２３１ｄ、右板片２３２および左板片２３３は、例えば金属材料で構成されており、溶接等により接合されている。なお、これらは、一体的に形成されていてもよい。
【００５４】
このような第２の連結部２３を介して、支持腕２１が取付構造３に連結されている。この取付構造３は、図８に示すように、長尺の本体３１と、下側装置本体９２０の上面に突出して設けられた２つの雄ネジ部３２、３３と、各雄ネジ部３２、３３に螺合する雌ネジ部３４、３５とを備えている。
【００５５】
本体３１は、平面視で長方形状の底板３１１と、底板３１１の両端に沿って設けられ、底板３１１の上面から立設した一対の側板３１２と、各側板３１２の上縁に沿って設けられ、内側に突出する突出片３１３と、底板３１１の後方に設けられた補強板３１４とを備えている。各側板３１２は、前方から後方に向かう長手方向の途中で高さが減少しており、突出片３１３は、側板３１２の高さが高い部分（前方側の部分）に設けられている。また、補強板３１４の上面は、高さ方向において、側板３１２の高さが低い部分（後方側の部分）の上縁と一致するように設けられている。
【００５６】
このような本体３１では、底板３１１と、２つの側板３１２と、２つの突出片３１３とにより、本体３１の長手方向に沿った互いに対向する一対のガイド溝３１０が画成されている。これらのガイド溝３１０には、それぞれ、第２の連結部２３の本体２３１の右板片２３２より右側の部分、および、左板片２３３より左側の部分が挿入される。これにより、本体２３１は、本体３１の長手方向に沿ってスライド可能となっている。本実施形態では、本体３１は、その機械的強度を確保しつつ、軽量化を図る観点から、例えば金属板等の板材を折り曲げることにより形成されている。
【００５７】
各側板３１２の前方側の部分には、その高さ方向の途中に、長手方向に沿って長尺の貫通孔３１２ａが形成されている。また、各突出片３１３には、その幅方向の途中に長手方向に沿って長尺の貫通孔３１３ａが形成されている。２つのネジ２３０ａを、それぞれ、貫通孔３１２ａに挿通し、その先端部を本体２３１のネジ孔２３１ａに螺合させ、締め付ける。また、ネジ２３０ｂを、左側の貫通孔３１２ａに挿通し、その先端部をナット２３１ｄに螺合させ、締め付ける。これにより、本体２３１を本体３１に固定することができる。また、ネジ２３０ａのネジ孔２３１ａに対する螺合の程度、および、ネジ２３０ｂのナット２３１ｄに対する螺合の程度を弱めることにより、図５に示すように、支持腕２１（載置板１０）を本体３１の長手方向に沿って移動させることができる。
【００５８】
本実施形態では、３つのネジ２３０ａ、２３０ａ、２３０ｂを用いて、本体２３１を本体３１に固定するが、さらに右側のナット２３１ｄに螺合するネジを追加するようにしてもよい。また、本体２３１の本体３１への固定には、３つのネジ２３０ａ、２３０ａ、２３０ｂのうちの２つのネジを用いてもよく、１つのネジを用いるようにしてもよい。
【００５９】
かかる構成に代えて、図１２に示す構成とすることもできる。図１２に示す構成では、突出片３１３が省略され、例えば金属板等の板材を折り曲げることにより形成された天板３１５が側板３１２にネジ止めされている。この天板３１５には、その長手方向に沿って、第２の連結部２３の本体２３１を案内する凹部３１５ａが設けられている。この天板３１５の底部には、長尺の貫通孔３１５ｂが形成されている。
【００６０】
また、底板３１１と天板３１５との間には、挟持板３１６が設けられている。この挟持板３１６は、天板３１５を側板３１２にネジ止めした状態で、貫通孔３１５ｂから突出する雄ネジ部３１６ａを備えている。この雄ネジ部３１６ａは、第２の連結部２３の本体２３１の前方側の部分に形成された貫通孔２３１ｅに挿通され、その本体２３１から突出する部分（上端部）に雌ネジ部２３０ｃが螺合されている。
【００６１】
かかる構成では、雌ネジ部２３０ｃを締め付けると、天板３１５が本体２３１と挟持板３１６とにより挟持され、本体２３１が本体３１に固定される。また、雌ネジ部２３０ｃの雄ネジ部３１６ａに対する螺合の程度を弱めることにより、本体２３１と挟持板３１６とによる天板３１５の挟持が解除され、本体２３１（支持腕２１）を本体３１の長手方向に沿って移動させることができる。
【００６２】
また、図８に示すように、底板３１１および補強板３１４を貫通して、貫通孔３１４ａと貫通孔３１４ｂとが形成されている。貫通孔３１４ｂは、貫通孔３１４ａより前方に設けられ、貫通孔３１４ａを中心とする円弧状をなしている。貫通孔３１４ａには、雄ネジ部３２が挿通され、その先端部に雌ネジ部３４が螺合されている。一方、貫通孔３１４ｂには、雄ネジ部３３が挿通され、その先端部に雌ネジ部３５が螺合されている。
【００６３】
雌ネジ部３４、３５を雄ネジ部３２、３３に対して締め付けることにより、本体３１を装置本体９００（下側装置本体９２０）に固定することができる。また、雌ネジ部３４、３５の雄ネジ部３２、３３に対する螺合の程度を弱めることにより、図３に示すように、雄ネジ部３２を回動中心として、本体３１（支持腕２１）を装置本体９００（下側装置本体９２０）に対して回動させることができる。
【００６４】
なお、図１３に示すように、雌ネジ部３５、雄ネジ部３３および貫通孔３１４ｂを省略してもよい。かかる構成によっても、雌ネジ部３４の雄ネジ部３２に対する螺合の程度を弱めることにより、雄ネジ部３２を回動中心として、本体３１（支持腕２１）を装置本体９００（下側装置本体９２０）に対して回動させることができる。
【００６５】
また、本体３１には、本体３１の下側装置本体９２０に対する回動角度を多段階で調整することが可能な回動角度調整機構を設けるようにしてもよい。この回動角度調整機構には、例えば、前述したような円筒状部材２２５、円筒状部材２２６およびコイルバネ２２７とで構成される機構を用いることができる。なお、かかる機構は、例えば、底板３１１と補強板３１４との間に設けられ、円筒状部材２２５と円筒状部材２２６との固定に、雄ネジ部３２と雌ネジ部３５とが用いられる。
【００６６】
このような位置決め機構１では、図３および図５に示すように、ネジ２２４を操作することにより、載置板１０を鉛直軸または鉛直軸に対して傾斜した傾斜軸を中心として回動させるとともに、所望の位置で固定することができる。また、ネジ２２８を操作することにより、載置板１０を開口９０１に対して傾斜させるとともに、所望の位置で固定することができる。また、ネジ２３７を操作することにより、載置板１０を開口９０１に対して接近および離間させるとともに、所望の位置で固定することができる。また、ネジ２３０ａ、２３０ｂの操作により、載置板１０を水平方向に沿ってスライドさせるとともに、所望の位置で固定することができる。さらに、雌ネジ部３４、３５の操作により、載置板１０を水平方向において回動させるとともに、所望の位置で固定することができる。
【００６７】
すなわち、位置決め機構１は、ネジ２２４、２２８、２３７、２３０ａ、２３０ｂおよび雌ネジ部３４、３５の任意の組み合わせの操作により、種々の異なる状態（形態）を取り得ることができる。そのため、位置決め機構１の状態を変化させて、例えば、図９（ａ）〜（ｆ）に示すように、載置板１０を開口９０１に対して位置決めすることにより、平面視において載置板１０から露出する開口９０１の大きさの他、形状および位置を変更することができる。これにより、簡単な構成（１枚の載置板１０）でありながら、ゲーム空間９１０ｂのレイアウトを容易に変更して、飽きのこないゲーム装置１００を提供することができる。
【００６８】
また、本実施形態では、位置決め機構１が下側装置本体９２０の上面に取り付けられている。このため、位置決め機構１は、載置板１０を装置本体９００（下側装置本体９２０）から離間した状態で、開口９０１に対して位置決めすることができる。換言すれば、載置板１０の外周に沿って、載置板１０と装置本体９００との間には、隙間が形成される。このため、位置決め機構１の状態を変更する際に、ゲーム装置１００の管理者は、この隙間から手を差し込むことにより、位置決め機構１の状態を変更する操作を容易に行うことができる。
【００６９】
＜第２実施形態＞
次に、本発明のゲーム装置の第２実施形態について説明するが、前記第１実施形態との相違点を中心に説明し、同様の事項については、その説明を省略する。図１４は、本発明のゲーム装置の第２実施形態を示す斜視図、図１５は、図１４中のＡ−Ａ線断面図である。なお、図１４中において、左右方向を「Ｘ軸方向」と、前後方向を「Ｙ軸方向」と、上下方向を「Ｚ軸方向」と言う。
【００７０】
第２実施形態のゲーム装置１００では、位置決め機構１の構成が異なり、それ以外は、前記第１実施形態のゲーム装置１００と同様である。すなわち、第２実施形態の位置決め機構１は、Ｘ軸方向（またはＹ軸方向）に沿って延在し、互いに対向する一対のガイドレール４１と、載置板１０の天板部１０１の下面から立設し、ガイドレール４１に挿入される凸条４２と、下側装置本体９２０の上面に突出して設けられた雄ネジ部４３と、雄ネジ部４３に螺合する雌ネジ部４４とを備えている。
【００７１】
また、天板部１０１には、ガイドレール４１の延在方向（Ｘ軸方向またはＹ軸方向）に沿って長尺の貫通孔１０６が形成されている。この貫通孔１０６は、その両端が天板部１０１の縁に開放していない。雄ネジ部４３を貫通孔１０６に挿通し、その先端部に雌ネジ部４４を螺合させ、締め付ける。これにより、載置板１０を下側装置本体９２０に固定することができる。
【００７２】
このような位置決め機構１では、雌ネジ部４４の操作により、載置板１０を水平方向においてスライドさせるとともに、所望の位置で固定することができる。すなわち、位置決め機構１は、雌ネジ部４４の操作により異なる状態（形態）を取り得ることができる。例えば、図１４中の左側の位置決め機構１は、凸条４２が後方に位置する状態から、スライドして前方に位置する状態に至るまでの種々の異なる状態（形態）を取り得ることができる。そのため、位置決め機構１の状態を変化させて、載置板１０を開口９０１に対して位置決めすることにより、平面視において載置板１０から露出する開口９０１の大きさの他、形状および位置を変更することができる。これにより、簡単な構成（１枚の載置板１０）でありながら、ゲーム空間９１０ｂのレイアウトを容易に変更して、飽きのこないゲーム装置１００を提供することができる。
【００７３】
＜第３実施形態＞
次に、本発明のゲーム装置の第３実施形態について説明するが、前記第１実施形態との相違点を中心に説明し、同様の事項については、その説明を省略する。図１６は、載置板に側壁板を取り付けた状態を示す斜視図、図１７は、図１６に示す載置板の平面図、図１８は、図１７中のＢ−Ｂ線断面図、図１９は、側壁板および回動機構の他の構成例を示す斜視図、図２０は、図１９に示す回動機構の構成を示す分解斜視図、図２１は、側壁板と回動機構との関係を示す図である。
【００７４】
第３実施形態のゲーム装置１００では、載置板に側壁板が追加され、それ以外は、前記第１実施形態のゲーム装置１００と同様である。すなわち、本実施形態では、載置板１０の４辺（側部）に、側壁板１１が回動機構１２を介して取り付けられている。この回動機構１２は、側壁板１１が接合された円筒状部材１２１と、円筒状部材１２１に挿通された円柱状部材１２２と、円柱状部材１２２を載置板１０に固定する固定部１２３とを備えている。
【００７５】
固定部１２３は、長手方向の途中でほぼ直角に屈曲した板状の固定部材１２３ａと、ネジ１２３ｂとで構成されている。固定部材１２３ａは、載置板１０の４つの角部に形成された切欠き部１０ａにネジ止めされている。また、固定部材１２３ａの両端部には、貫通孔（図示せず）が形成され、円柱状部材１２２の両端部には、ネジ１２３ｂと螺合するネジ穴（図示せず）が形成されている。ネジ１２３ｂを固定部材１２３ａの貫通孔に挿通し、円柱状部材１２２のネジ穴に螺合することにより、円柱状部材１２２が載置板１０に対して固定されている。なお、円柱状部材１２２は、ネジ１２３ｂを中心として回転しないようになっている。
【００７６】
かかる回動機構１２によれば、円筒状部材１２１が円柱状部材１２２を回動中心として回動することにより、側壁板１１が載置板１０に対して回動する。なお、円筒状部材１２１の長さは、円柱状部材１２２の長さより若干短く設定されている。このため、円筒状部材１２１は、固定部材１２３ａと干渉することなく、円柱状部材１２２に対して回動することができる。また、側壁板１１の下側の２つの角部は、切り欠かれており、側壁板１１を載置板１０に対して回動させた際に、これらが互いに干渉するのが防止されている。
【００７７】
また、図１８に示すように、側壁板１１の所定の位置には、ネジ孔１１ａが形成されており、円筒状部材１２１には、ネジ孔１１ａに対応する位置に、その胴部を貫通するネジ孔１２１ａが形成されている。そして、ネジ孔１１ａおよびネジ孔１２１ａに螺合するネジ１２４が設けられている。円柱状部材１２２には、その周方向に沿って、ネジ１２４の先端部が挿入される第１の凹部１２２ａ、第２の凹部１２２ｂおよび第３の凹部１２２ｃが形成されている。本実施形態では、第１の凹部１２２ａは、載置板１０とほぼ平行に形成され、第２の凹部１２２ｂは、第１の凹部１２２ａに対して下方に３０°傾斜して形成され、第３の凹部１２２ｃは、第１の凹部１２２ａに対して下方に４５°傾斜して形成されている。
【００７８】
かかる構成によれば、ネジ１２４の先端部を第１の凹部１２２ａに挿入すると、ネジ１２４の先端部が第１の凹部１２２ａと第２の凹部１２２ｂとの間の段差に係合する。このため、円筒状部材１２１の円柱状部材１２２に対する回動が規制される。このとき、円筒状部材１２１に接合された側壁板１１は、載置板１０に対してほぼ９０°をなして固定される（図１８（ａ）参照）。同様に、ネジ１２４の先端部を第２の凹部１２２ｂに挿入すると、ネジ１２４の先端部が第２の凹部１２２ｂと第３の凹部１２２ｃとの間の段差に係合し、側壁板１１は、載置板１０に対して固定される（図１８（ｂ）参照）。
【００７９】
また、ネジ１２４の先端部を第３の凹部１２２ｃに挿入すると、ネジ１２４の先端部が第３の凹部１２２ｃと円柱状部材１２２の外周面との間の段差に係合し、側壁板１１は、載置板１０に対してほぼ４５°をなして固定される（図１８（ｄ）参照）。なお、本実施形態では、円筒状部材１２１には、その外周面から突出する突出片１２１ｂが設けられており、この突出片１２１ｂは、側壁板１１と載置板１０とのなす角度がほぼ３０°をなした状態で、載置板１０の縁部１０２に当接するように構成されている。突出片１２２ｄの縁部１０２への当接により、円筒状部材１２１の円柱状部材１２２に対する回動が規制され、側壁板１１は、載置板１０に対してほぼ３０°をなして固定される（図１８（ｄ）参照）。
【００８０】
すなわち、本実施形態の回動機構１２は、載置板１０と側壁板１１とのなす角度（図１８中の角度θ）を３０〜９０°の範囲において、４段階で調整可能である。なお、回動機構１２は、載置板１０と側壁板１１とのなす角度を２段階または３段階で調整可能に構成されていてもよく、５段階以上で調整可能に構成されていてもよい。以上のような構成において、主に、ネジ１２４、突出片１２１ｂおよび第１〜第３の凹部１２２ａ〜１２２ｃにより、側壁板１１の載置板１０に対する回動角度を調整する調整構造が構成される。
【００８１】
なお、側壁板１１および回動機構１２を構成する各部材は、例えば、硬質樹脂材料、金属材料、セラミックス材料、木材またはこれらの複合材料等により形成することができる。また、側壁板１１と円筒状部材１２１とは、別体で構成されているが、これらは、一体的に形成されていてもよい。
【００８２】
このような側壁板１１を設けることにより、載置板１０上に載置された景品が不本意に載置板１０から落下するのを防止することができる。また、載置板１０を開口９０１に対して傾斜して配置した場合でも、景品を載置板１０上に保持することができる。特に、側壁板１１を載置板１０に対して回動可能に設け、所定の角度で固定し得るように構成したことにより、景品を獲得する難易度を調整することができ、より飽きのこないゲーム装置１００を提供することができる。
【００８３】
なお、４つの側壁板１１は、それぞれ載置板１０とのなす角度を別個に調製するようにしてもよいことは言うまでもない。また、側壁板１１は、載置板１０の４辺のうちの１辺、２辺または３辺に設けるようにしてもよい。また、載置板１０と側壁板１１とのなす角度を調整可能とする範囲は、任意の角度（例えば、１０〜１２０°程度）とすることができるが、３０〜９０°であるのが好ましく、４５〜９０°であるのがより好ましい。これにより、前記効果をより高めることができる。
【００８４】
また、側壁板１１は、載置板１０に対して回動不能、すなわち、固定的に設けられていてもよい。この場合、載置板１０と側壁版１１とを取り付けるための取付構造が設けられる。かかる取付構造としては、例えば、載置板１０および側壁版１１の一方に設けられた凸部と、この凸部に係合する凹部との組み合わせが挙げられる。また、この場合、載置板１０と側壁版１１とのなす角度を、好ましくは３０〜９０°（より好ましくは４５〜９０°）の範囲において多段階で変更できるように、複数の取付構造を設けるようにするのが好ましい。
【００８５】
以上のような構成に代えて、側壁板１１および回動機構１２は、図１９〜図２１に示す構成とすることもできる。本構成例の回動機構１２は、固定部材１２３ａに対して回動可能に設けられた円柱状部材１２５を備えている。
【００８６】
図２０に示すように、円柱状部材１２５の胴部には、その長手方向に沿って複数（２つまたは４つ）のネジ孔１２５ａが形成されている。また、側壁板１１には、複数の貫通孔１１ｂが形成されている。ネジ１２４を貫通孔１１ｂに挿通し、ネジ孔１２５ａに螺合させることにより、側壁板１１が円柱状部材１２５に固定される。なお、複数の貫通孔１１ｂは、上下方向に沿って配列された３つの貫通孔１１ｂを一組として、側壁板１１の長手方向に沿って、ほぼ等間隔で形成されている。これにより、上下方向において、側壁板１１の載置板１０に対する位置を３段階（多段階）で変更可能になっている。
【００８７】
また、円柱状部材１２５の両端には、胴部の直径よりも縮径した縮径部１２６が形成されている。この縮径部１２６の端面には、その中央部にネジ穴１２６ａが形成されている。一方、固定部材１２３ａの内側の面には、縮径部１２６が挿入される軸受１２３ｃが凹没形成されている。この軸受１２３ｃの底部には、その中央部に貫通孔１２３ｄが形成されている。縮径部１２６を軸受１２３ｃに挿入し、この状態でネジ１２３ｂを貫通孔１２３ｄに挿通し、その先端部をネジ穴１２６ａに螺合させ、締め付ける。これにより、円柱状部材１２５を固定部材１２３ａに固定することができる。また、ネジ１２３ｂのネジ穴１２６ａに対する螺合の程度を弱めることにより、図２１（ｂ）に示すように、円柱状部材１２５をネジ１２３ｂを中心として回動させることができる。
【００８８】
なお、縮径部１２６の端面には、その外周部に沿って、複数の半球状の凸部１２６ｂが形成されている。一方、軸受１２３ｃの底部には、その外周部に沿って、凸部１２６ｂに対応する形状の複数の凹部１２３ｅが形成されている。これらの凹部１２３ｅは、互いに近接（連続）して設けられている。円柱状部材１２５を固定部材１２３ａに固定した状態では、凸部１２６ｂが凹部１２３ｅに挿入される。ことにより、円柱状部材１２５の固定部材１２３ａに対する回動角度を多段階で調整することが可能である。
【００８９】
さらに、円柱状部材１２５の両端部には、それぞれ、一対のフランジ部１２７が円柱状部材１２５と一体的に形成されている。フランジ部１２７は、頂面１２７ａと、この頂面１２７ａに対して傾斜する傾斜面１２７ｂとを有する。一方、載置板１０（縁部１０２）の上部には、図２１に示すように、その側方に向かって突出する突出部１０７が設けられている。この突出部１０７の下面は、載置板１０の側面に対してほぼ４５°で傾斜する傾斜面１０７ａを構成している。
【００９０】
かかる回動機構１２によれば、円柱状部材１２５がネジ１２３ｂを回動中心として回動することにより、側壁板１１が載置板１０に対して回動する。なお、側壁板１１が載置板１０に対してほぼ９０°をなす状態（図２１（ａ）参照）から、角度θが大きくなる（９０°を上回る）ように、側壁板１１を載置板１０に対して回動させようとすると、円柱状部材１２５の上側のフランジ部１２７の傾斜面１２７ｂが、載置板１０の突出部１０７の傾斜面１０７ａに当接する。このため、円柱状部材１２５の固定部材１２３ａに対する回動が規制される。一方、側壁板１１が載置板１０に対してほぼ４５°をなす状態（図２１（ｂ）参照）から、角度θが小さくなる（４５°を下回る）ように、側壁板１１を載置板１０に対して回動させようとすると、円柱状部材１２５の下側のフランジ部１２７の傾斜面１２７ｂが、載置板１０（縁部１０２）の側面に当接する。このため、円柱状部材１２５の固定部材１２３ａに対する回動が規制される。
【００９１】
すなわち、本構成例の回動機構１２は、載置板１０と側壁板１１とのなす角度（図２１中の角度θ）を４５〜９０°の範囲において、多段階で調整可能である。以上のような構成において、主に、突出部１０７およびフランジ部１２７により、側壁板１１の載置板１０に対する回動角度を調整する調整構造が構成される。
【００９２】
以上、本発明のゲーム装置を図示の実施形態について説明したが、本発明は、これに限定されるものではない。例えば、ゲーム装置を構成する各部は、同様の機能を発揮し得る任意の構成のものと置換することができる。また、任意の構成物が付加されていてもよい。また、本発明では、前記第１〜第３実施形態の任意の構成を組み合わせるようにしてもよい。
【符号の説明】
【００９３】
１‥‥位置決め機構  ２‥‥支持構造  ２１‥‥支持腕  ２２‥‥第１の連結部  ２２１‥‥本体  ２２１ａ‥‥貫通孔  ２２２‥‥受筒  ２２３‥‥ナット  ２２４‥‥ネジ
２２４’‥‥ネジ  ２２５‥‥円筒状部材  ２２５ａ‥‥突起  ２２６‥‥円筒状部材
２２６ａ‥‥ネジ穴  ２２６ｂ‥‥凹部  ２２７‥‥コイルバネ  ２２８‥‥ネジ  ２３‥‥第２の連結部  ２３０ａ‥‥ネジ  ２３０ｂ‥‥ネジ  ２３０ｃ‥‥雌ネジ部  ２３１‥‥本体  ２３１ａ‥‥ネジ孔  ２３１ｂ‥‥前板片  ２３１ｃ‥‥貫通孔  ２３１ｄ‥‥ナット  ２３１ｅ‥‥貫通孔  ２３２‥‥右板片  ２３２ａ‥‥貫通孔  ２３３‥‥左板片  ２３３ａ‥‥スリット  ２３４‥‥円筒状部材  ２３４ａ‥‥突起  ２３５‥‥円筒状部材  ２３５ａ‥‥ネジ穴  ２３５ｂ‥‥凹部  ２３６‥‥コイルバネ  ２３７‥‥ネジ  ２３８‥‥軸受  ２３８ａ‥‥平板  ２３８ｂ‥‥軸受穴  ２３９ｃ‥‥突出部  ２３９‥‥ピン  ３‥‥取付構造  ３１‥‥本体  ３１０‥‥溝  ３１１‥‥底板  ３１２‥‥側板  ３１２ａ‥‥ネジ孔  ３１３‥‥突出片  ３１３ａ‥‥貫通孔  ３１４‥‥補強板  ３１４ａ‥‥貫通孔  ３１４ｂ‥‥貫通孔  ３２‥‥雄ネジ部  ３３‥‥雄ネジ部  ３４‥‥雌ネジ部  ３５‥‥雌ネジ部  ４１‥‥ガイドレール  ４２‥‥凸条  ４３‥‥雄ネジ部  ４４‥‥雌ネジ部  ５‥‥景品把持部  ５１‥‥本体  ５２‥‥アーム  １０‥‥載置板  １０ａ‥‥切欠き部  １０１‥‥天板部  １０２‥‥縁部  １０３‥‥梁部  １０４‥‥突出部  １０５‥‥貫通孔  １０５’ ‥‥ネジ孔  １０６‥‥貫通孔  １０７‥‥突出部  １０７ａ‥‥傾斜面  １１‥‥側壁板  １１ａ‥‥ネジ孔  １１ｂ‥‥貫通孔  １２‥‥回動機構  １２１‥‥円筒状部材  １２１ａ‥‥ネジ孔  １２１ｂ‥‥突出片  １２２‥‥円柱状部材  １２２ａ‥‥第１の凹部  １２２ｂ‥‥第２の凹部  １２２ｃ‥‥第３の凹部  １２３‥‥固定部  １２３ａ‥‥固定部材  １２３ｂ‥‥ネジ  １２３ｃ‥‥軸受  １２３ｄ‥‥貫通孔  １２３ｅ‥‥円柱状部材  １２４‥‥ネジ  １２５‥‥円柱状部材  １２５ａ‥‥ネジ孔  １２６‥‥縮径部  １２６ａ‥‥ネジ穴  １２６ｂ‥‥凸部  １２７‥‥フランジ部  １２７ａ‥‥頂面  １２７ｂ‥‥傾斜面  １００‥‥ゲーム装置  ５００‥‥景品移動機構  ５０‥‥移動装置  ５０Ｘ‥‥Ｘ軸ガイド  ５０Ｘａ‥‥Ｘ軸モータ  ５０Ｘｂ‥‥Ｘ軸センサ  ５０Ｙ‥‥Ｙ軸ガイド  ５０Ｙａ‥‥Ｙ軸モータ  ５０Ｙｂ‥‥Ｙ軸センサ  ５０Ｚ‥‥Ｚ軸ロッド  ５０Ｚａ‥‥Ｚ軸モータ  ５０Ｚｂ‥‥Ｚ軸センサ  ９００‥‥装置本体  ９０１‥‥開口  ９１０‥‥上側装置本体  ９１０ａ‥‥透明板  ９１０ｂ‥‥ゲーム空間  ９２０‥‥下側装置本体  ９２１‥‥仕切板  ９２２‥‥景品取出口  ９２３‥‥操作部  ９２３ａ‥‥操作ボタン  ９２３ｂ‥‥操作ボタン  ９２３ｃ‥‥操作ボタン  ９２４‥‥コイン投入口  ９２５‥‥コイン払戻口  ９２６‥‥扉
【図１】
2016140371.tif 000003
【図２】
2016140371.tif 000004
【図３】
2016140371.tif 000005
【図４】
2016140371.tif 000006
【図５】
2016140371.tif 000007
【図６】
2016140371.tif 000008
【図７】
2016140371.tif 000009
【図８】
2016140371.tif 000010
【図９】
2016140371.tif 000011
【図１０】
2016140371.tif 000012
【図１１】
2016140371.tif 000013
【図１２】
2016140371.tif 000014
【図１３】
2016140371.tif 000015
【図１４】
2016140371.tif 000016
【図１５】
2016140371.tif 000017
【図１６】
2016140371.tif 000018
【図１７】
2016140371.tif 000019
【図１８】
2016140371.tif 000020
【図１９】
2016140371.tif 000021
【図２０】
2016140371.tif 000022
【図２１】
2016140371.tif 000023